(57)【特許請求の範囲】
【請求項１】
（ａ）上縁部を吊り桿（１１）に取り付けて吊り下げられるカーテン生地の横幅方向と高さ方向にそれぞれ所要の間隔をおいて取り付けられて高さ方向に一直線状に並ぶ昇降ガイド（１３）に通した昇降コード（１４）の下端をカーテン生地（１２）の下縁部に接合し、その昇降コードの先端（１５）をカーテン生地の上縁部に取り付けられている上縁部ガイド（１６）と吊り桿の端部に位置するストッパー（１７）とを経由して引き出し、ストッパーから垂れ下がる昇降コードを引いて開閉操作するローマンシエードにおいて、
（ｂ）吊り桿（１１）にカーテン生地を係止する係止手段（１８）とストッパー（１７）がカーテン生地（１２）の上縁部に接合されており、且つ、
（ｃ）その吊り桿（１１）にストッパーを係止するための係止手段（１９）がストッパー（１７）に付設されており、
（ｄ）カーテン生地（１２）の上縁部に接合されている係止手段（１８）と、ストッパー（１７）に付設されている係止手段（１９）が、面ファスナーであり、
（ｅ）ストッパー（１７）に付設されている面ファスナー（１９）がカーテン生地（１２）の上縁部に接合されており、
（ｆ）上縁部ガイド（１６）が平板な舌片（２１）に昇降コード（１４）を通す挿通孔を設けて構成されており、
（ｇ）  ストッパー（１７）が平板な舌片（２２）を具備し、
（ｈ）  それらの舌片（２１・２２）が、それぞれ上記面ファスナー（１８・１９）とカーテン生地（１２）の上縁部の間に挟み込まれてカーテン生地（１２）の上縁部に接合されているローマンシエード。
【請求項２】
（ｉ）前掲請求項１に記載の面ファスナー（１８・１９）とカーテン生地（１２）の上縁部の間に挟み込まれている上記各舌片（２１・２２）の上縁部（２４・２５）が前記面ファスナー（１８・１９）の上縁（２３）から突き出ており、
（ｊ）その突き出た舌片の上縁部（２４・１５）が、直角に折れ曲がって当該面ファスナー（１８・１９）の鈎片植設面（２６の外側に折曲端縁（２７・２８）を形成している前掲請求項１に記載のローマンシエード。
【発明の詳細な説明】
【０００１】
【発明の属する技術分野】
本発明は、上縁部を吊り桿に取り付けて吊り下げられるカーテン生地の横幅方向と高さ方向にそれぞれ所要の間隔をおいて取り付けられて高さ方向に一直線状に並ぶ昇降ガイドに通した昇降コードの下端をカーテン生地の下縁部に接合し、その昇降コードの先端を当該カーテン生地の上縁部に取り付けられている上縁部ガイドと吊り桿の端部に設置されたストッパーとを経由して引き出し、そのストッパーから垂れ下がる昇降コードの先端を引いてカーテン生地を開閉操作するローマンシエードに関するものである。
【０００２】
【従来の技術】
ローマンシエードには、昇降コードの操作方法からして、カーテン生地の上縁部を取り付ける吊り桿に平行に設けた回転シリンダーに昇降コードの先端を接合し、回転シリンダーを回転させて昇降コードを巻き上げ巻き戻して開閉操作する昇降コード巻取タイプと、カーテン生地の上縁部を取り付ける吊り桿の端部に設けたストッパーを経由して引き出された昇降コードの先端を引いて開閉操作する昇降コード引出タイプがある。その何れのタイプのものでも、カーテン生地の洗濯を容易にするため、カーテン生地の上縁部と吊り桿の間は、ホック、フック、面ファスナー等の対をなす係止手段を介して着脱自在に係止されている。多く場合、係止手段には面ファスナーが使用されている。吊り桿の正面には、雌雄対をなす一方の面ファスナーが、鈎片植設面を外向きにして接着剤によって接合されている。面ファスナーの多くは、テープ状のパイル布帛として織成又は編成されており、鈎状先端を成すカットパイルが雄型面ファスナーの鈎片植設面を構成し、ループパイルが雌型面ファスナーの鈎片植設面を構成している。雌雄対をなす他方の面ファスナーは、鈎片植設面を外向きにしてカーテン生地の上縁部に縫合されている。昇降コードの下端は、カーテン生地の下縁部に取り付けられているリングに結び付けるか、又は、昇降コードの下端に輪奈状の結び目を付け、その結び目をカーテン生地の下縁部に取り付けられているフックに引っかける等して着脱自在にカーテン生地に係止されている。多くの場合、昇降ガイドはカーテン生地に縫い付けられており、昇降コードの下端をカーテン生地から外し、昇降コードを昇降ガイドから引き抜いてカーテン生地から引き離し、雌雄対をなす面ファスナーを引き剥がし、カーテン生地を吊り桿から取り外して洗濯することが出来るようになっている。尚、ローマンシエードのなかには、昇降ガイドがホックやフックによってカーテン生地に着脱自在に係止されているものもあり、そのようなカーテン生地では、昇降コードを昇降ガイドから引抜く手間が省ける。
【０００３】
【発明が解決しようとする課題】
従来のローマンシエードでは、カーテン生地だけを吊り桿から取り外して洗濯することが出来るものの、昇降コードは、回転シリンダー或いは吊り桿とストッパーに取り付けられたまま残され、カーテン生地と一緒に洗濯されることはない。このため、折角洗濯して綺麗にしたカーテン生地も、昇降コードに付着している汚染物質によって汚され易い状態で使用されることになる。仮に、昇降コードに付着している汚染物質が目立たない程度に僅かであり、それによってカーテン生地が然程汚染されないとしても、綺麗に洗濯されたカーテン生地と洗濯されない昇降コードの間の汚染物質の有無による外観上の差異が目立ち易く、ローマンシエード全体の美観が損なわれる。そしてカーテン生地の付け替え時には、数多くの昇降ガイドに昇降コードを通し直さなければならず、又、昇降ガイドがホックやフックによってカーテン生地に着脱自在に係止されているものでは、昇降ガイドに昇降コードを通し直す手間が省けるとしても、それ以上に昇降ガイドの付け替えに手間取って煩わしく、結局カーテン生地を洗濯せず汚れたまま長期使用している、と言うのが実情である。
【０００４】
特開平１１−４７４９には、昇降コードを回転シリンダーに着脱自在に係止し、洗濯時には昇降コードをカーテン生地と一緒に回転シリンダーから取り外して洗濯し得るように工夫された昇降コード巻取タイプのローマンシエードが開示されている。しかし、特開平１１−４７４９は、開閉操作機構が異なる昇降コード引出タイプのローマンシエードには適用出来ない。そして、昇降コード巻取タイプのローマンシエードは、吊り桿の他に回転シリンダーと回転駆動装置が付設されている分だけ昇降コード引出タイプに比して嵩張り、その開閉操作機構が複雑で装置として大仕掛けのものになり、コストも割高になり、一般家庭での使用には不向きである。
【０００５】
【発明の目的】
そこで本発明は、昇降コードをカーテン生地と一緒に吊り桿から取り外して洗濯することが出来、その吊り桿への付け替えに手間取らず、一般家庭での使用に適した昇降コード引込タイプのローマンシエードを得ることを目的とする。
【０００６】
【課題を解決するための手段】
本発明は、上縁部を吊り桿１１に取り付けて吊り下げられるカーテン生地の横幅方向と高さ方向にそれぞれ所要の間隔をおいて取り付けられて高さ方向に一直線状に並ぶ昇降ガイド１３に通した昇降コード１４の下端をカーテン生地１２の下縁部に接合し、その昇降コードの先端１５をカーテン生地の上縁部に取り付けられている上縁部ガイド１６と吊り桿の端部に位置するストッパー１７とを経由して引き出し、ストッパーから垂れ下がる昇降コードを引いて開閉操作するローマンシエードにおいて、吊り桿１１にカーテン生地を係止する係止手段１８とストッパー１７をカーテン生地１２の上縁部に接合すると共に、その吊り桿１１にストッパーを係止するための係止手段１９をストッパー１７に付設したことを第１の特徴とする。
【０００７】
本発明に係るローマンシエードの第２の特徴は、上記第１の特徴に加えて、カーテン生地１２の上縁部に接合されている係止手段１８とストッパー１７に付設されている係止手段１９が面ファスナーであり、ストッパー１７に付設されている面ファスナー１９がカーテン生地１２の上縁部に接合されている点にある。
【０００８】
本発明に係るローマンシエードの第３の特徴は、上記第１および第２の何れかの特徴に加えて、上縁部ガイド１６が平板な舌片２１に昇降コード１４を通す挿通孔を設けて構成されており、その舌片２１がカーテン生地１１の上縁部に接合されている点にある。
【０００９】
本発明に係るローマンシエードの第４の特徴は、上記第１、第２および第３の何れかの特徴に加えて、ストッパー１７が平板な舌片２２を具備し、その舌片２２がカーテン生地１１の上縁部に接合されている点にある。
【００１０】
本発明に係るローマンシエードの第５の特徴は、上記第１、第２、第３および第４の何れかの特徴に加えて、カーテン生地１２の上縁部に接合されている係止手段１８とストッパー１７に付設されている係止手段１９が面ファスナーであり、ストッパー１７に付設されている面ファスナー１９がカーテン生地１２の上縁部に接合されており、上縁部ガイド１６が平板な舌片２１に昇降コード１４を通す挿通孔を設けて構成されており、ストッパー１７が平板な舌片２２を具備し、それらの舌片２１・２２が、それぞれ上記面ファスナー１８・１９とカーテン生地１２の上縁部の間に挟み込まれてカーテン生地１２の上縁部に接合されている点にある。
【００１１】
本発明に係るローマンシエードの第６の特徴は、上記第５の特徴に加えて、面ファスナー１８・１９とカーテン生地１２の上縁部の間に挟み込まれている上記各舌片２１・２２の上縁部２４・２５が前記面ファスナー１８・１９の上縁２３から突き出ており、その突き出た舌片の上縁部２４・１５が、直角に折れ曲がって当該面ファスナー１８・１９の鈎片植設面２６の外側に折曲端縁２７・２８を形成している点にある。
【００１２】
【発明の実施の形態】
図１は、本案ローマンシエードを図示し、カーテン生地１２の上縁部と吊り桿１１には係止手段としての雌雄対応する面ファスナー１８・１９・２０が取り付けられており、吊り桿１１とカーテン生地１２の間は着脱自在になっている。１４は、カーテン生地１２をたくし上げて開閉操作する昇降コードであり、カーテン生地に取り付けたリング昇降ガイド１３に通され、その下端はカーテン生地１２の下端部に接合されており、その先端（下端に対する他方の端末）１４は、カーテン生地の上縁部に取り付けられている上縁部ガイド１６とストッパー１７を経由してカーテン生地の側縁部に引き出され、そのストッパー１７から垂下している。リング昇降ガイド１３は、テープ２９に突設されており、そのテープ２９を縫合してカーテン生地１２に取り付けられている。上縁部ガイド１６からは平板な舌片２１が突出している。
【００１３】
ストッパー１７の機構は、平板な円柱形固定ガイド３０と、揺動アーム３１に担持されて揺動する平板な円柱形揺動ガイド３２によって構成されている。揺動アーム３１はバネ材に弾性付勢されており、揺動ガイド３２は揺動アーム３１に揺動されて固定ガイド３０の周面に圧着するようになっている。固定ガイド３０、揺動アーム３１、揺動ガイド３２、バネ材等の部材は、ボックス型のカバーの中に収められており、そのカバーからは平板な舌片２２が突出している。昇降コード１４は、固定ガイド３０と揺動ガイド３２の間を通ってストッパー１７から引き出されている。昇降コード１４は、それらのガイド３０・３２の間で把持され、その昇降コード１４を引っ張って緊張させると、その張力を受けて揺動アーム３１が揺動し、揺動ガイド３２と固定ガイド３０の間の隙間が広がって昇降コード１４が移動し、カーテン生地１２の開閉操作が可能になる。図１には、説明の都合上最も単純なストッパーの内部機構を図示している。しかし、ストッパー１７の内部機構は、図１に図示するものに限定されず、従来公知の種々の機構、例えば、実公平５−４６７１６（実開昭６３−１２８８７６）、実開平７−１２８６、実開平６−３６４７２、実開昭６１−１２０８８２〜１２６８８５等に開示されている従来公知の機構を適用することが出来る。
【００１４】
上縁部ガイド１６の舌片２１とストッパー１７の舌片２２は、面ファスナー１８・１９に重ね合わされてカーテン生地１２に縫合されている。それらの舌片２１・２２は軟質プラスチックで構成し、軟質プラスチックと布帛を積層して硬く構成するときは、ミシン孔を穿設して縫合し易くしておく。それらの舌片２１・２２を硬質プラスチックで構成するときは、上縁部ガイド本体１６やストッパー１７のカバーとプラスチック射出成形によって一体的に形成することも出来る。又、固定ガイド３０、揺動アーム３１、揺動ガイド３２、バネ材等のストッパー１７の部材は、プラスチックによって射出成形し、適宜耐蝕性のステンレス製部材によって補強するとよい。上縁部ガイド１６とストッパー１７には一般市販の昇降ガイドやストッパーを利用することが出来る。一般市販のストッパーを利用する場合には、それをストッパー本体３８とし、その正面に舌片２２をビス止め、或いは、接着してストッパー１７を構成する（図４）。又、一般市販の昇降ガイドを利用する場合には、それをガイド本体３９とし、それを舌片２１にビス止め、溶接、縫い付け、或いは、直接又はリングを介して引っ掛けて上縁部ガイド１６を構成する（図５）。
【００１５】
図１には、上縁部ガイド１６とストッパー１７を吊り桿１１に着脱自在に係止する係止手段として面ファスナー１８・１９・２０を図示している。しかし、それらの係止手段１８・１９・２０は面ファスナーに限らず、ホックやフック、その他蟻溝を有する部材と蟻溝に嵌合する部材、鈎状部材と平板な部材等、着脱自在に係合する公知の一対の部材によって構成することが出来る。
【００１６】
前記の通り、面ファスナーは、カーテン生地と吊り桿を着脱自在に係止する係止手段として従来のローマンシエードにも使用されている。その従来のローマンシエードでは、無数のパイル状鈎片の植設されている鈎片植設面を垂直にして面ファスナーが使用されており、面ファスナーの取り付けられる吊り桿の垂直な取付面（正面）の上側は水平な天端になっている。その取付面と天端の境目は、それらが直角に交わる稜線になっているか、又は、取付面から天端の上に垂直に突き出た補強用のフランジになっている。この点に着目するとき、面ファスナー１８・１９に重ね合わせて一緒にカーテン生地１２の上縁部に取り付けられる上縁部ガイドの舌片２１やストッパーの舌片２２は、それらの上縁を面ファスナー１８・１９の上縁２３の上に突き出し、それらの突き出た上縁部２４・２５を吊り桿側（１１）に直角に折り曲げて突き出させ、その直角に突き出た折曲端縁２７・２８を吊り桿１１の正面（取付面）と天端３３が直角に交わる稜線３４に引っ掛け（図２）、或いは又、そのように直角に折り曲げてから更に直角に下向きに折り曲げて舌片２１・２２の上縁部２４・２５をク字形ないし７字形断面形状にし、その下向きになった折曲端縁２７・２８と舌片２１・２２の間に、吊り桿１１の正面（取付面）から天端３３の上に垂直に突き出た補強用のフランジ３５に嵌合する嵌合溝３６・３７を形成し、その嵌合溝３６・３７をフランジ３５に嵌め合わせ（図３）、カーテン生地１２を面ファスナー１８・１９・２０によって吊り桿１１に着脱自在に係止するとよい。
【００１７】
そうすると、吊り桿１１とカーテン生地１２の間の雌雄対応する面ファスナー１８・１９・２０を引き剥がす程の下向きの強い引張荷重がカーテン生地１２に作用するようなことがあっても、その引張荷重は舌片２１・２２の折曲端縁２７・２８から吊り桿の天端３３に伝わり、又、嵌合溝３６・３７を形成したものでは、その嵌合溝３６・３７と補強用のフランジ３５が強く嵌合するので、面ファスナー１８・１９・２０の間が剥離し、カーテン生地１２が吊り桿１１から外れて落下する危険はなくなる。このように、カーテン生地１２やストッパー１７の吊り桿１１からの離脱を防止するには、面ファスナー１８・１９の他に、舌片２１・２２の折曲端縁２７・２８の如くホックやフック等の２種類以上の係止手段をカーテン生地１２やストッパー１７に付設して、吊り桿１１に着脱自在に係止するとよい。
【００１８】
ストッパー１７のカーテン生地１２からの離脱を回避するには、図示する如く、カーテン生地１２を吊り桿１１に着脱自在に係止する面ファスナー１８とストッパー１７を吊り桿１１に着脱自在に係止する面ファスナー１９を連続させ、その連続した面ファスナー１８・１９を介してストッパー１７をカーテン生地１２に接合するとよく、そのようにすると、カーテン生地１２とストッパー１７の間に集中荷重して作用してストッパー１７との接合箇所でカーテン生地１２が破れるような不具合は回避され、又、ストッパー１７がカーテン生地１２の全幅に続く面ファスナー１８・１９を介して吊り桿１１に着脱自在に確り接合され、開閉操作過程で昇降コードから受ける外力によってストッパー１７が吊り桿１１から外れるような不具合も回避される。
【００１９】
【発明の効果】
本発明のローマンシエードでは、吊り桿に係止する係止手段１８とストッパー１７がカーテン生地１２の上縁部に接合されている。このため、吊り桿１１からカーテン生地１２を外すときは、カーテン生地１２と一緒に昇降ガイド１３も昇降コード１４も、又、ストッパー１７も吊り桿１１から外され、昇降コード１４を昇降ガイド１３やストッパー１７から取り外す必要はなく、それらをカーテン生地１２と一緒に丸洗いすることが出来、吊り桿１１への付け替えに手間取らず、一般家庭での使用に適した昇降コード引込タイプのローマンシエードが得られる。そして、ストッパー１７は、カーテン生地１２の上縁部に接合されているだけではなく、ストッパー自体１７にも、それを吊り桿に係止する係止手段１９が付設されているので、開閉操作過程で昇降コード１４から受ける外力がカーテン生地１２に直接作用することはなく、その外力が直接作用してカーテン生地１２のストッパー１７との接合箇所が破れるようなことは起こらない。従って、本発明は、裏側を透視することが出来る程度に薄手の布帛をカーテン生地１２に使用したローマンシエードに効果的である。
【００２０】
本発明のローマンシエードでは、カーテン生地１２の上縁部に接合されている係止手段１８とストッパー１７に付設されている係止手段１９が面ファスナーであり、ストッパー１７に付設されている面ファスナー１９がカーテン生地１２の上縁部に接合されている。このため、カーテン生地１２とストッパー１７の間に集中荷重して作用してカーテン生地１２のストッパー１７との接合箇所に破れが発生するようなことはなく、又、ストッパー１７がカーテン生地１２の全幅に続く面ファスナー１８・１９を介して吊り桿１１に着脱自在に確り係止されることにもなり、開閉操作過程で昇降コード１４から受ける外力によってストッパー１７が吊り桿１１から外れるようなことも回避される。
【００２１】
本発明のローマンシエードでは、上縁部ガイド１６が平板な舌片２１に昇降コード１４を通す挿通孔を設けて構成されている。このため、上縁部ガイド１６をミシン掛けによってカーテン生地１２の上縁部に縫合し、カーテン生地１２の上縁部を体裁よく仕上げることが出来、上縁部ガイド１６をカーテン生地１２の上縁部に簡便に確り接合することが出来、その接合箇所がカーテン生地の丸洗い時も、カーテン生地１２の吊り桿１１への付け替え時にも邪魔にならない。
【００２２】
本発明のローマンシエードでも、ストッパー１７が平板な舌片２２を具備するので、ストッパー１７をミシン掛けによってカーテン生地１２の上縁部に縫合し、カーテン生地の上縁部を体裁よく仕上げることが出来、ストッパー１７をカーテン生地１２の上縁部に簡便に確り接合することが出来、その接合箇所がカーテン生地の丸洗い時も、カーテン生地１２の吊り桿１１への付け替え時にも邪魔にならない。
【００２３】
本発明のローマンシエードでは、上縁部ガイドの舌片２１とストッパーの舌片２２が、面ファスナー１８・１９とカーテン生地１２の上縁部の間に挟み込まれているので、カーテン生地１２の上縁部を体裁よく仕上げることが出来、上縁部ガイド１６をカーテン生地１２の上縁部に簡便に確り接合することが出来、その接合箇所がカーテン生地の丸洗い時も、カーテン生地１２の吊り桿１１への付け替え時にも邪魔にならず、カーテン生地１２の上縁部ガイド１５やストッパー１７との接合箇所が、面ファスナー１８・１９で補強されるので、その接合箇所から洗濯時に破れが発生することはない。
【００２４】
本発明によると、カーテン生地１２やストッパー１７が、面ファスナー１８・１９だけではなく、カーテン生地１２の上縁部から突き出た上縁部ガイド１６やストッパー１７の折曲端縁２７・２８によっても吊り桿１１に係止されているので、不慮の外力がカーテン生地１２や昇降コード１４に作用しても、吊り桿１１にから外れるようなことも回避される。
【００２５】
以上の通り、本発明によると、昇降コードをカーテン生地と一緒に吊り桿から取り外して洗濯することが出来、その吊り桿への付け替えに手間取らず、不慮の外力がカーテン生地や昇降コードに作用しても、吊り桿１１にから外れるようなことはなく、一般家庭での使用に適した昇降コード引込タイプのローマンシエードが得られる。
【図面の簡単な説明】
【図１】本発明に係るローマンシエードのカーテン生地の吊り桿との着脱状態を示す要部斜視図である。
【図２】本発明に係るローマンシエードのカーテン生地の吊り桿との着脱状態を示す要部斜視図である。
【図３】本発明に係るローマンシエードのカーテン生地の吊り桿との着脱状態を示す要部斜視図である。
【図４】本発明に係るストッパーの組み立て斜視図である。
【図５】本発明に係る上縁部ガイドの組み立て斜視図である。
【符号の説明】
１１  吊り桿
１２  カーテン生地
１３  昇降ガイド
１４  昇降コード
１５  昇降コードの先端
１６  上縁部ガイド
１７  ストッパー
１８・１９  係止手段（面ファスナー）
２０  面ファスナー
２１・２２  舌片
２３  面ファスナーの上縁
２４  舌片の上縁部
２５  舌片の上縁部
２６  鈎片植設面
２７・２８  折曲端縁
２９  テープ
３０  固定ガイド
３１  揺動アーム
３２  揺動ガイド
３３  天端
３４  稜線
３５  フランジ
３６・３７  嵌合溝
３８  ストッパー本体
３９  ガイド本体
【図１】
0003713625.tif 000002
【図２】
0003713625.tif 000003
【図３】
0003713625.tif 000004
【図４】
0003713625.tif 000005
【図５】
0003713625.tif 000006